(57)【要約】【課題】株主優待サービスの内容を提携企業の商品に拡大し、株主に対する優待サービスの内容を多彩にするとともに優待実施企業の独自性を維持しつつ負担軽減を図る。【解決手段】会員の情報と会員ＩＤと優待実施企業毎の株主ＩＤとを関連付けて格納する会員情報データベース６０と、優待実施企業，優待サービスを提供する提携企業および優待実施企業の株主に関する情報について、優待実施企業ＩＤ，提携企業ＩＤおよび株主ＩＤを関連付けて格納する優待情報データベース７０と、を備え、優待サーバ２０は、会員端末３０からの会員ＩＤを含むログイン要求に応じて、会員情報データベース６０および優待情報データベース７０を参照し、会員名および優待実施企業名のリストを会員端末３０に送信する機能と、会員端末３０において表示された優待実施企業の優待情報の閲覧要求に応じて、優待情報データベース７０を参照して優待実施企業と提携する提携企業名および優待サービスのデータを取得し、会員端末３０に送信する機能と、を備えている。【選択図】    図１
2005250715.tif 000002
【特許請求の範囲】
【請求項１】
ネットワークを通して会員端末および優待実施企業端末からアクセス可能な優待サーバであって、
会員の情報について会員識別情報を付けると共にその会員識別情報を優待実施企業毎に株主に付けられた株主識別情報と関連付けて格納する会員情報データベースと、
優待実施企業，優待サービスを提供する提携企業および優待実施企業の株主に関する情報について、それぞれ識別情報を付けて相互に関連付けて格納する優待情報データベースと、
会員端末からの会員識別情報を含むログイン要求に応じて、会員情報データベースおよび優待情報データベースを参照して会員名および会員識別情報に対応する優待実施企業の企業名を取得し、取得した会員名および優待実施企業名のリストを含むデータを会員端末において表示可能な形態でログイン要求をした会員端末に送信する手段と、
会員端末において表示された優待実施企業名のリストから選択された優待実施企業の指定を含む優待実施企業の優待情報の閲覧要求に応じて、優待情報データベースを参照して優待実施企業と提携する提携企業名および優待サービスのデータを取得し、取得した提携企業名および優待サービスのデータを会員端末において表示可能な形態で優待情報の閲覧要求をした会員端末に送信する手段と、を備えていることを特徴とする優待サーバ。
【請求項２】
会員情報データベースに格納される会員情報には優待サービスの購入履歴情報が含まれ、
優待サーバは、会員端末に表示された優待商品のリストから選択された優待商品の指定情報を含む購入申込要求に応じて、指定された優待商品の情報，優待商品を提供する提携企業名および購入ボタンを含む購入申込画面のデータを会員端末に送信する手段と、
会員端末からの購入要求に応じて、商品の購入履歴を会員情報データベースに格納すると共に、購入データを優待実施企業端末および提携企業端末に送信する手段とを備えている請求項１に記載の優待サーバ。
【請求項３】
優待実施企業の優待情報の閲覧要求に応じて会員端末に送信するデータは購入履歴の確認ボタンを含む構成で、
会員端末において表示された優待情報画面の購入履歴の確認ボタンの選択による履歴確認要求に応じて、会員情報データベースを検索して格納された購入履歴を取得し、取得した購入履歴を会員端末において表示可能な形態で履歴確認要求をした会員端末に送信する手段を備えている請求項２に記載の優待サーバ。
【請求項４】
優待情報の閲覧要求に応じて会員端末に送信するデータは、優待実施企業から会員に対するメッセージ情報を含む構成で、
会員端末に表示された優待情報画面にメッセージ情報を表示させる構成となっている請求項１に記載の優待サーバ。
【請求項５】
優待情報データベースには、提携企業の情報として商品の基本情報，支払い方法および在庫情報が格納され、優待実施企業の情報として各提携企業の商品毎に持ち株数に対応する優待内容を定義した優待定義リストが格納されており、
優待情報の閲覧要求に応じて会員端末に送信されるデータの優待サービスの内容は、優待情報データベースに格納された優待商品の基本情報と、優待定義リストに基づいて作成されることを特徴とする請求項１に記載の優待サーバ。
【請求項６】
ログイン要求に応じて会員端末に送信するデータに、会員が新たに株主となった場合の追加登録要求を可能とする情報を盛り込み、
会員端末から送信される新たな株主識別情報を含む追加登録要求に応じて、送信されて
きた株主識別情報と予め優待情報データベースに格納されている株主識別情報とを照合して会員情報データベースに記憶する手段を備えていることを特徴とする請求項１に記載の優待サーバ。
【請求項７】
優待実施企業端末からの企業画面閲覧要求に応じて新規株主に対する識別情報発行を含むメニュー項目のデータを優待実施企業端末において表示可能な形態で閲覧要求のあった優待実施企業端末に送信する手段と、
メニュー項目から選択された新規株主に対する識別情報発行要求に応じて、株主情報欄、登録ボタン、識別情報発行ボタン、識別情報ダウンロードボタンを含む株主登録画面用のデータを優待実施企業端末において表示可能な形態で識別情報発行要求のあった優待実施企業端末に送信する手段と、
優待実施企業端末において表示されたメニュー項目の、株主情報欄に入力された株主情報と登録ボタンの選択による株主情報登録要求に応じて、株主優待情報データベースに株主情報を格納する手段と、
優待実施企業端末において表示されたメニュー項目の、識別情報発行ボタンの選択による識別情報発行要求に応じて、株主に対して識別情報を発行して株主情報に対応付けをする手段と、
優待実施企業端末において表示されたメニュー項目の、識別情報ダウンロードボタンの選択によるダウンロード要求に応じて、識別情報が付された株主情報をダウンロード要求のあった優待実施企業端末に送信する手段と、を備えていることを特徴とする請求項１乃至６のいずれかの項に記載の優待サーバ。
【請求項８】
会員端末に表示される優待情報閲覧ページの画面構成を設定するサイトメンテナンス手段をさらに備えていることを特徴とする請求項１乃至７のいずれかの項に記載の優待サーバ。
【請求項９】
優待定義を含む提携情報の管理手段をさらに備えていることを特徴とする請求項１乃至８のいずれかの項に記載の優待サーバ。
【請求項１０】
会員端末に送信するメッセージ情報の配信条件設定手段をさらに備えていることを特徴とする請求項１乃至９のいずれかの項に記載の優待サーバ。
【請求項１１】
提携企業端末からのアクセスによって、優待情報データベースに格納されている商品基本情報，支払い方法および在庫情報を更新する手段をさらに備えている請求項１乃至９のいずれかの項に記載の優待サーバ。
【請求項１２】
ネットワークを通して会員端末および優待実施企業端末からアクセス可能なコンピュータが、
会員の情報について会員識別情報を付けると共にその会員識別情報を優待実施企業毎に株主に付けられた株主識別情報と関連付けて会員情報データベースに格納するステップと、
優待実施企業，優待サービスを提供する提携企業および優待実施企業の株主に関する情報について、それぞれ識別情報を付けて相互に関連付けて優待情報データベースに格納するステップと、
会員端末からの会員識別情報を含むログイン要求に応じて、会員情報データベースおよび優待情報データベースを参照して会員名および会員識別情報に対応する優待実施企業の企業名を取得するステップと、
取得した会員名および優待実施企業名のリストを含むデータを会員端末において表示可能な形態でログイン要求をした会員端末に送信するステップと、
会員端末において表示された優待実施企業名のリストから選択された優待実施企業の指
定を含む優待実施企業の優待情報の閲覧要求に応じて、優待情報データベースを参照して優待実施企業と提携する提携企業名および優待サービスのデータを取得するステップと、
取得した提携企業名および優待サービスのデータを会員端末において表示可能な形態で優待情報の閲覧要求をした会員端末に送信するステップと、を実行することを特徴とするサービス方法。
【請求項１３】
ネットワークを通して会員端末および優待実施企業端末からアクセス可能なコンピュータに、
会員の情報について会員識別情報を付けると共にその会員識別情報を優待実施企業毎に株主に付けられた株主識別情報と関連付けて会員情報データベースに格納するステップと、
優待実施企業，優待サービスを提供する提携企業および優待実施企業の株主に関する情報について、それぞれ識別情報を付けて相互に関連付けて優待情報データベースに格納するステップと、
会員端末からの会員識別情報を含むログイン要求に応じて、会員情報データベースおよび優待情報データベースを参照して会員名および会員識別情報に対応する優待実施企業の企業名を取得するステップと、
取得した会員名および優待実施企業名のリストを含むデータを会員端末において表示可能な形態でログイン要求をした会員端末に送信するステップと、
会員端末において表示された優待実施企業名のリストから選択された優待実施企業の指定を含む優待実施企業の優待情報の閲覧要求に応じて、優待情報データベースを参照して優待実施企業と提携する提携企業名および優待サービスのデータを取得するステップと、
取得した提携企業名および優待サービスのデータを会員端末において表示可能な形態で優待情報の閲覧要求をした会員端末に送信するステップと、を実行させることを特徴とするプログラム。
【請求項１４】
ネットワークを通して優待サーバに会員端末および優待実施企業端末からアクセス可能であり、
前記優待サーバは、
会員の情報について会員識別情報を対応付けると共にその会員識別情報を優待実施企業毎に株主に付けられた株主識別情報と関連付けて格納する会員情報データベースと、
優待実施企業，優待商品を提供する提携企業および優待実施企業の株主に関する情報について、それぞれ優待実施企業識別情報，提携企業識別情報および株主識別情報を対応付けると共に相互に関連付けて格納する優待情報データベースと、
会員端末からの会員識別情報を含むログイン要求に応じて、会員情報データベースおよび優待情報データベースを参照し、会員名および会員識別情報に対応する優待実施企業の企業名を取得し、取得した会員名および優待実施企業名のリストを含むデータを会員端末において表示可能な形態でログイン要求をした会員端末に送信する手段と、
会員端末において表示された優待実施企業名のリストから選択された優待実施企業の指定を含む優待実施企業の優待情報の閲覧要求に応じて、優待情報データベースを参照して優待実施企業と提携する提携企業名および優待商品のデータを取得し、取得した提携企業名および優待商品のデータを会員端末において表示可能な形態で優待情報の閲覧要求をした会員端末に送信する手段と、を備え、
会員端末は、
優待サーバからログイン要求に対応して送信されたデータを受信し、会員名および優待実施企業名のリストを表示画面に表示する手段と、
表示された優待実施企業名のリストの中から選択された優待実施企業の指定を含む優待情報の閲覧要求を優待サーバに送信する手段と、
優待サーバから優待情報の閲覧要求に対応して送信されたデータを受信し、特定の優待実施企業と提携する各提携企業の企業名とその優待商品のデータを表示画面に表示する手
段と、を備えていることを特徴とする株主優待サービスシステム。
【発明の詳細な説明】
【技術分野】
【０００１】
本発明は、ネットワークを介して株主優待サービスをシステム化する技術に関し、例えば株主優待サービスを優待実施企業とは別の提携企業の商品に拡大して幅広い優待サービスを株主に提供することができるようにした株主優待サービスシステムに関する。
【背景技術】
【０００２】
従来の株主優待制度をネットワークを使ってシステム化した技術としては、たとえば特許文献１に記載のようなものがある。
特許文献１に記載の株主優待情報提供システムは、保有株数もしくは所定期間内の株取引履歴情報に基づいて株主毎の優待情報を生成し、生成した株主優待情報を企業から株主に対する株主関連情報の通知に関連付けて株主に提供するようになっている。
しかし、特許文献１のシステムは企業と株主の１対１の関係でしかなく、このような株主優待制度は、個人株主数が増大すると優待サービスを提供する企業側の負担が大きくなってしまう。
【０００３】
そこで、近年、複数の企業を統合してサービスを提供するシステムが提案されている。非特許文献１に記載の共通株主優待ポイントシステムは、複数の企業が共同して様々な店舗，施設で利用できる株主優待カードを発行するようになっている。この株主優待カードに持ち株数に応じてポイントを付与し、ポイントを付与された株主は各店舗や施設にて端末にアクセスし、そのポイントにより様々な商品やサービスを得ることができるようになっていた。
しかし、この非特許文献１に記載のシステムでは、株主にとっては様々な商品，サービスを利用できるメリットはあるものの、参加する企業にとっては優待サービスは一律のものとなり、企業の特色を持たせることが難しい。
【特許文献１】特開２００３−１８７０６８号公報
【非特許文献１】株式会社オーム社、平成１５年９月１０日発行の「これでわかったＲＦＩＤ」１０６〜１０８ページ、「5.5-8共通株主優待ポイントシステム」）
【発明の開示】
【発明が解決しようとする課題】
【０００４】
本発明は、上記した従来技術の問題点を解決するためになされたもので、その目的とするところは、株主優待サービスの内容を提携企業の商品に拡大し、株主に対する優待サービスの内容を多彩にすると同時に優待実施企業の独自性を維持しつつ負担軽減を図り、しかも提携企業の商品の販売を拡大し得る株主優待サービスシステムを提供することにある。
【課題を解決するための手段】
【０００５】
上記目的を達成するために、請求項１に係る発明は、ネットワークを通して優待サーバに会員端末および優待実施企業端末とが相互にアクセス可能となっている。
優待サーバは、会員の情報について会員識別情報を対応付けると共に会員識別情報を優待実施企業毎に株主に付けられた株主識別情報と関連付けて格納する会員情報データベースと、優待実施企業，優待サービスを提供する提携企業および優待実施企業の株主に関する情報について、それぞれ優待実施企業識別情報，提携企業識別情報および株主識別情報を対応付けると共に相互に関連付けて格納する優待情報データベースと、を備えている。
優待サーバは、さらに、会員端末からの会員識別情報を含むログイン要求に応じて、会員情報データベースおよび優待情報データベースを参照し、会員名および会員識別情報に
対応する優待実施企業の企業名を取得し、取得した会員名および優待実施企業名のリストを含むデータを会員端末において表示可能な形態でログイン要求をした会員端末に送信する手段と、会員端末において表示された優待実施企業名のリストから選択された優待実施企業の指定を含む優待実施企業の優待情報の閲覧要求に応じて、優待情報データベースを参照して優待実施企業と提携する提携企業名および優待サービスのデータを取得し、取得した提携企業名および優待サービスのデータを会員端末において表示可能な形態で優待情報の閲覧要求をした会員端末に送信する手段と、を備えている。
会員端末は、優待サーバからのログイン要求に対応して送信されたデータを受信し、会員名および優待実施企業名のリストを表示画面に表示する手段と、表示された優待実施企業名のリストの中から選択された優待実施企業の指定を含む優待情報の閲覧要求を優待サーバに送信する手段と、優待サーバから優待情報の閲覧要求に対応して送信されたデータを受信し、特定の優待実施企業と提携する各提携企業の企業名とその優待サービスのデータを表示画面に表示する手段と、を備えている。
【０００６】
請求項２に係る発明では、上記優待サーバの会員情報データベースに格納される会員情報には優待サービスの購入履歴情報が含まれ、優待サーバは、会員端末に表示された優待実施企業の優待画面に表示された優待商品のリストから選択された商品の指定情報を含む購入申込要求に応じて、指定された商品情報，商品を提供する提携企業名，購入ボタン，キャンセルボタンを含む購入申込画面のデータを会員端末に送信する手段と、会員端末において表示された購入申込画面の購入ボタンの選択による購入要求に応じて、商品の購入履歴を会員情報データベースに格納すると共に、購入データを優待実施企業端末および提携企業端末に送信する手段を備えていることを特徴とする。
【０００７】
請求項３に係る発明では、上記優待サーバにおいて、優待実施企業の優待情報の閲覧要求に応じて会員端末に送信するデータは購入履歴の確認ボタンを含む構成で、会員端末において表示された優待情報画面の購入履歴の確認ボタンの選択による履歴確認要求に応じて、会員情報データベースを検索して格納された購入履歴を取得し、取得した購入履歴を会員端末において表示可能な形態で履歴確認要求をした会員端末に送信する手段を備えていることを特徴とする。
【０００８】
請求項４に係る発明では、上記優待サーバにおいて、優待実施企業の優待情報の閲覧要求に応じて会員端末に送信するデータは、優待実施企業から会員に対するメッセージ情報を含む構成で、会員端末において表示された優待情報画面にメッセージ情報が表示される構成となっていることを特徴とする。
【０００９】
請求項５に係る発明では、上記優待サーバの優待情報データベースには、提携企業の情報として商品の基本情報，支払い方法および在庫情報が格納され、優待実施企業の情報として各提携企業の商品毎に持ち株数に対応する優待内容を定義した優待定義リストが格納されており、
優待実施企業の優待情報閲覧要求に応じて送信されるデータの優待サービスの内容は、優待情報データベースに格納された優待実施企業が提携する提携企業の商品の基本情報と、優待定義リストに基づいた優待サービスの内容であることを特徴とする。
【００１０】
請求項６に係る発明では、上記優待サーバは、ログイン要求に応じて会員端末に送信するデータに、会員が新たに株主となった場合の追加登録要求を可能とする情報を盛り込み、会員端末から送信される新たな株主識別情報を含む追加登録要求に応じて、送信されてきた株主識別情報と予め優待情報データベースに格納されている株主識別情報とを照合し、株主識別情報を会員情報データベースに記憶する手段を備えていることを特徴とする。
【００１１】
請求項７に係る発明では、上記優待サーバは、優待実施企業端末からの企業画面閲覧要
求に応じて新規株主に対する識別情報発行を含むメニュー項目のデータを優待実施企業端末において表示可能な形態で閲覧要求のあった優待実施企業端末に送信する手段と、メニュー項目から選択された新規株主に対する識別情報発行要求に応じて、株主情報欄、登録ボタン、識別情報発行ボタン、識別情報ダウンロードボタンを含む株主登録画面用のデータを優待実施企業端末において表示可能な形態で識別情報発行要求のあった優待実施企業端末に送信する手段と、優待実施企業端末において表示されたメニュー項目の、株主情報欄に入力された株主情報と登録ボタンの選択による株主情報登録要求に応じて、株主優待情報データベースに株主情報を格納する手段と、優待実施企業端末において表示されたメニュー項目の、識別情報発行ボタンの選択による識別情報発行要求に応じて、株主に対して識別情報を発行して株主情報に対応付けをする手段と、優待実施企業端末において表示されたメニュー項目の、識別情報ダウンロードボタンの選択によるダウンロード要求に応じて、識別情報が付された株主情報をダウンロード要求のあった優待実施企業端末に送信する手段と、を備えている。
優待実施企業端末は、優待サーバから企業画面閲覧要求に対応して送信される識別情報発行を含むメニュー項目のデータを受信し、識別情報発行を含むメニュー項目を表示画面に表示する手段と、優待サーバから識別情報発行要求に対応して送信される株主登録画面用のデータを受信し、株主情報欄、登録ボタン、識別情報発行ボタン、識別情報ダウンロードボタンを表示画面に表示する手段と、を備えていることを特徴とする。
【００１２】
請求項８に係る発明では、上記優待サーバは会員端末に表示される優待情報閲覧ページの画面構成を設定するサイトメンテナンス手段を有することを特徴とする。
【００１３】
請求項９に係る発明では、上記優待サーバは優待定義を含む提携情報の管理手段を有することを特徴とする。
【００１４】
請求項１０に係る発明では、上記優待サーバは会員端末に送信するメッセージ情報の配信条件設定手段を有することを特徴とする。
【００１５】
請求項１１に係る発明では、上記優待サーバは、提携企業端末からのアクセスによって、優待情報データベースに格納されている商品基本情報，支払い方法および在庫情報を更新する手段を有していることを特徴とする。
【００１６】
また、本発明は、上記いずれか処理をコンピュータが実行する方法であってもよい。また、本発明は、以上のいずれかの機能をコンピュータに実現させるプログラムであってもよい。また、本発明は、そのようなプログラムを記録したコンピュータが読み取り可能な記録媒体でもよい。
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、たとえばフレキシブルディスク、光磁気ディスク、CD-ROM、CD-R/W、DVD、DAT、８mmテープ、メモリカード等がある。
また、コンピュータに固定された記録媒体としてハードディスクやＲＯＭ（リードオンリーメモリ）等がある。
【発明の効果】
【００１７】
請求項１の発明のシステムによると、会員は会員端末から会員識別情報を入力して優待サーバにログイン要求をすると、会員がウェブサイトのトップページとして株主となっている優待実施企業名のリストが会員名と共に表示画面に自動的に表示される。
優待実施企業名のリストの中から優待実施企業名を選択すると、優待実施企業と提携する提携企業が提供する優待サービスの内容が表示画面に表示されるので、優待サービスの
内容を閲覧し、多彩な優待サービスの中から好みの商品を選ぶことができる。
【００１８】
請求項２に係る発明は、優待商品リストから商品を指定し購入申込の要求をすると、購入申込画面が会員端末に表示される。商品の購入申込みをすると、優待サーバによって自動的に購入データを優待実施企業端末および提携企業端末に送信されるので、ウェブサイト上で簡単に購入することができる。
【００１９】
請求項３に係る発明は、購入履歴の確認ボタンを動作させると、優待サーバによって購入履歴が会員端末に表示されるので、購入履歴を直ぐに確認することができる。
【００２０】
請求項４に係る発明は、優待実施企業の優待情報画面に優待実施企業からのメッセージ情報が表示される構成となっているので、優待実施企業が株主に対してきめ細かいサービスを提供することができる。
【００２１】
請求項５に係る発明は、提携企業が提供する優待サービスの内容が、優待情報データベースに格納された商品の基本情報に、優待定義リストに基づいた優待内容を組み合わせて表示する構成となっているので、優待実施企業は優待定義リストを定義することで優待内容を簡単に設定できる。
【００２２】
請求項６に係る発明は、会員が新たに株主となった場合の追加登録要求を可能とする情報を会員端末に送信するデータに盛り込み、会員端末からの追加登録要求に応じて、追加登録される株主識別情報と予め優待情報データベースに格納されている株主識別情報とを照合し、合致している場合には株主識別情報を会員情報データベースに記憶するようになっているので、簡単かつ安全に株主情報を追加することができる。
【００２３】
請求項７に係る発明によれば、登録される新規の株主の株主情報に対して、重複なく固有の株主識別情報を付与することができる。
【００２４】
請求項８に係る発明によれば、会員端末に表示される優待情報閲覧画面のサイトメンテナンス手段を備えるので、優待実施企業は、独自の画面構成をして他社との差別化を図ることができる。
【００２５】
請求項９に係る発明によれば、提携情報管理手段を備えるので、優待企業は優待定義を任意に設定できる。
【００２６】
請求項１０に係る発明によれば、会員端末に送信するメッセージ情報の配信条件設定手段を設けたので、各企業は随時、株主個人とコミュニケーションをとることができる。
【００２７】
請求項１１に係る発明によれば、優待情報データベースに格納されている商品基本情報，支払い方法および在庫情報を更新する手段を備えるので、提携企業は、商品の基本情報の修正，支払い方法の変更，在庫情報の管理が容易にできる。
【発明を実施するための最良の形態】
【００２８】
以下に本発明を図示の実施例に基づいて説明する。
＜システム構成＞
図１は本発明の一実施例に係る株主優待サービスシステムのネットワーク構成を示している。すなわち、このシステムは、ネットワーク１０を通して優待サーバ２０に会員端末３０，優待実施企業端末４０および提携企業端末５０が相互にアクセス可能となっている。ネットワーク１０は、公衆回線網，インターネット等の既存のネットワークが利用可能である。会員端末３０，優待実施企業端末４０および提携企業端末５０はコンピュータで
あり、会員端末３０には、パーソナルコンピュータ（ＰＣ）や携帯電話などが利用できる。
【００２９】
図２は優待サーバ２０を構成するハードウェアのシステム構成例である。すなわち、ＷＥＢサーバ２１、データベースサーバ２２、ＣＭＳ（コンテンツマネージメントシステム）サーバ２３、メールサーバ２４およびアンケートサーバ２５がＬＡＮ等によって接続され、ファイアウォール２６，ルータ２７を介してインターネット１０に接続される。また、コンテンツ作成代行業者とシステム運用管理業者（サイト管理者）もまた、ファイアウォール２６，ルータ２７を介して接続される。負荷分散のために、ＷＥＢサーバ２１は複数設けられ、さらにロードバランサ２８が設けられる。これらのＷＥＢサーバ２１，データベースサーバ２２，ＣＭＳサーバ２３，メールサーバ２４，アンケートサーバ２５によって、優待サーバ２０が構成される。もっとも、優待サーバ２０を一つのサーバコンピュータによって構成してもよいし、種々の構成とすることができる。
優待サーバ２０と、会員端末３０，優待実施企業端末４０および提携企業端末５０はそれぞれ通信機能を有しており、ネットワーク１０を通して交信する。優待サーバ２０では、Ｗｅｂサーバプログラムが動作し、会員端末３０，優待実施企業端末４０および提携企業端末５０はＷｅｂブラウザプログラムが動作する。
【００３０】
図３は、本発明の株主優待サービスシステムを概略的に示している。優待サーバ２０によって株主優待ＷＥＢサイトが構築され、株主はＷＥＢサイトにて商品を購入したり、優待クーポンなどを取得する。優待実施企業は会員データを閲覧したり、購入データをダウンロードできる。提携企業は購入申込みのあった商品を株主に発送する。サイト管理者はサイトを作成し、優待実施企業に利用ＩＤを発行する。
会員情報データベース６０は、会員の情報について会員固有の識別情報である会員ＩＤを付けて記憶すると共に、優待実施企業毎に株主に付けられた識別情報である株主ＩＤを会員ＩＤと関連付けて記憶している。会員情報としては、氏名，住所，パスワード等が含まれる。これにより複数の優待実施企業の株主で株主ＩＤを複数所有する会員でも、複数の株主ＩＤは、この優待ＷＥＢサイトでは一つの会員ＩＤに統合される。
優待情報データベース７０は、各優待実施企業の株主、優待実施企業および優待サービスを提供する提携企業に関する情報について、それぞれ株主ＩＤ，優待実施企業ＩＤおよび提携企業ＩＤを付けて相互に関連付けて記憶している。
【００３１】
＜データベースの概要＞
本実施例では、優待情報データベース７０は、図４に記載のように、株主データベース７１，優待実施企業データベース７２および提携企業データベース７３を有し、優待実施企業ＩＤ，提携企業ＩＤ，株主ＩＤによって相互に関連付けた構成となっている。また、会員情報データベース６０と優待情報データベース７０は、株主ＩＤによってリンクされている。
株主データベース７１には、各優待実施企業から提供される株主ＩＤ，優待実施企業ＩＤ，株主の氏名，住所、持ち株情報、優待権利の有効期間等が格納されている。優待実施企業データベース７２には、優待実施企業ＩＤ，会社名，住所，優待定義等の優待内容，提携企業ＩＤ等が格納されている。提携企業データベース７３は、提携企業ＩＤ，会社名，住所，優待商品等が格納されている。株主データベース７１と優待実施企業データベース７２間は、株主ＩＤと優待実施企業ＩＤによってリンクされ、優待実施企業データベース７２と提携企業データベース７３間は優待実施企業ＩＤと提携企業ＩＤによってリンクされる。
【００３２】
＜会員端末に提供する機能概要＞
以下、優待サーバ２０によって会員端末３０に提供される優待サイトの機能について、説明する。図５は、各優待実施企業から発行される株主ＩＤを、サイト上の会員ＩＤに統合
する仕組みを概念的に示している。
各優待実施企業は株主に対して株主ＩＤを発行すると共に、発行した株主ＩＤを優待サーバ２０内の株主データベース７１にインポートする。株主ＩＤは優待用のＩＤとして決算報告書と共に郵送される。株主データベース７１には、各企業から提供された持ち株情報も格納される。
株主は、優待実施企業から発行される優待ＩＤと呼ぶユーザＩＤとパスワードとにより、一旦優待サーバ２０にログインする。そして、株主は、先ず優待サイトにて会員登録を行う。会員登録の際に会員ＩＤが発行される。株主は優待実施企業から提供された株主ＩＤを優待サーバ２０に送信する。優待サーバ２０は送信されてきた株主ＩＤについて、予め株主データベース７１に格納されている株主ＩＤと照会して認証する処理を行い、認証されれば株主ＩＤを会員ＩＤと関連付けて登録する。株主ＩＤは優待実施企業ＩＤと関連付けられているので、各会員についてその保有する株式を発行した企業が優待実施企業として登録されることになり、会員ＩＤで優待サイトにログインするだけで、利用可能な優待実施企業のリスト表示が可能となる。
【００３３】
次に、本発明の株主優待サービスシステムの会員向けサイトの機能について、図４，図６，図７に示される会員向けサイトの各ページの表示を参照して説明する。図４は本発明の株主優待サービスシステムの会員向けサイトの閲覧ページと各データベースとの関係を示す図である。また、図６は本発明の株主優待サービスシステムの会員向けサイトのログインから優待情報閲覧，商品購入に至るまでのページの説明図である。また、図７は会員向けサイトの会員登録および株主ＩＤの追加登録をする際のページの説明図である。
【００３４】
（トップページの表示）
会員端末３０において、会員は優待サーバ２０のＵＲＬを入力し、優待サーバ２０にアクセスする。優待サーバ２０はログイン欄を含むトップページ用のデータ（ＨＴＭＬファイル等）を会員端末３０に送信し、会員端末３０は、優待サイトのトップページＰ１を表示する（図４参照）。トップページＰ１は、ログイン欄１０１を有している。ログイン欄１０１には、図６に示すように、ユーザ名入力欄１０１ａ，パスワード入力欄１０１ｂ，ログインボタン１０１ｃおよび新規発行ボタン１０１ｄが表示される。
【００３５】
（新規登録）
初めて利用する際は、新規発行ボタン１０１ｄをクリックする。すると、図７に示すように、アカウント発行画面１０２が表示される。アカウント発行画面１０２には、ＩＤ入力欄１０２ａ，パスワード入力欄１０２ｂ，電子メールアドレス入力欄１０２ｃおよび登録ボタン１０２ｄがあり、ＩＤ入力欄１０２ａに優待実施企業から提供された株主ＩＤを入力する。さらに、パスワードや電子メールアドレス等、所定欄に必要事項を入力し、登録ボタン１０２ｄをクリックすると、優待サーバ２０に新規登録要求（の信号）を送信する。
優待サーバ２０は新規登録要求に対応して、株主データベース７１に格納されている株主ＩＤと照合し、合致していれば会員ＩＤを含む新規アカウントを発行し、会員情報データベース６０を更新する。その際に会員ＩＤと株主ＩＤを関連付けて格納する。登録した結果は、電子メール、あるいはセキュリティを考慮して郵送によって会員に通知する。
【００３６】
（ログイン）
既に、利用者登録が完了しており会員ＩＤがある場合には、図６に示すように、会員がログイン欄１０１のユーザ名入力欄１０１ａおよびパスワード入力欄１０１ｂに会員ＩＤおよびパスワードを入力し、ログインボタン１０１ｃをクリックすると、会員端末３０から優待サーバ２０にログイン要求（の信号）が送信される。この会員端末３０からのログイン要求に応じて、優待サーバ２０は、会員情報データベース６０を参照して会員ＩＤに対応する株主ＩＤを取得し、株主データベース７１から株主ＩＤに対応する優待実施企業
ＩＤを取得し、優待実施企業データベース７２から優待実施企業ＩＤに対応する優待実施企業名を取得する（図４参照）。そして、優待サーバ２０は、取得した優待実施企業名のリストを含む会員向けサイトのメインページを表すデータ（ＨＴＭＬファイルなど）を会員端末３０に送信する。会員端末３０は、図４および図６に示すように、会員向けサイトのメインページ（以下、ページを画面ともいう）Ｐ３を表示する。
【００３７】
会員向けメインページＰ３には、図６に示すように、左欄に会員名１０３ａ，ユーザ設定１０３ｂ，ログアウト１０３ｃ，お問い合わせボタン１０３ｄの項目が表示され、右欄に優待実施企業名１０３ｅと追加登録ボタン１０３ｆが表示されている。
（アカウント修正）
ユーザ設定１０３ｂは会員のアカウントを修正するメニュー項目である。ユーザ設定１０３ｂをクリックすると、図７に示すように、優待サーバ２０が会員のアカウント修正用の画面のデータ（ＨＴＭＬ文書など）を作成し、作成したデータを会員端末３０に送信し、会員端末３０においてアカウント修正画面１０４が表示される。アカウント修正画面１０４は、会員の名前欄１０４ａ，住所欄１０４ｂ，電話番号欄１０４ｃ，E-mail欄１０４ｄ等の修正項目の欄と、登録ボタン１０４ｅが表示されており、会員が修正項目を入力し、登録ボタン１０４ｅをクリックすると、修正項目のデータが優待サーバ２０に送信され、優待サーバ２０は修正された項目について、会員情報データベース６０の記憶内容を更新する。
【００３８】
（追加登録）メインページＰ３の追加登録ボタン１０３ｆ（図６参照）は、会員が新たに株主となった場合に、優待実施企業から会員に提供された株主ＩＤを追加登録するメニューである。追加登録ボタン１０３ｆをクリックすると、株主優待サーバ２０からＩＤ追加登録ページ作成用のデータ（ＨＴＭＬ文書）が会員端末３０に送信され、会員端末３０においてＩＤ追加登録ページＰ４が表示される（図４，図７参照）。追加登録ページＰ４には、追加される株主ＩＤとパスワードの入力欄１０５ａ，１０５ｂおよび登録ボタン１０５ｃが設けられ、株主ＩＤとパスワードを入力して登録ボタン１０５ｃをクリックすると、追加株主ＩＤが優待サーバ２０に送信される。
【００３９】
優待サーバ２０は、送信される株主ＩＤについて株主データベース７１に記憶されている株主ＩＤと照合し、合致していれば会員情報データベース６０に株主ＩＤを会員ＩＤと関連付けて追加登録する。また、株主ＩＤと関連付けられた優待実施企業ＩＤを取得し、取得した優待実施企業ＩＤから優待実施企業データベース７２を参照して優待実施企業名のデータを取得し、取得した追加優待実施企業名のデータを会員端末３０に送信し、会員端末３０はメイン画面に追加された優待実施企業名を追加して表示する。
お問い合わせボタン１０３ｄは、優待サーバ２０を運営している管理会社への問い合わせで、お問い合わせボタン１０３ｄをクリックすると、たとえばメールアドレスや電話番号等が表示される。
【００４０】
（優待情報表示）
次に、メインページＰ３の優待実施企業名１０３ｅで示される特定の優待実施企業名をクリックすると、優待サーバ２０は優待実施企業データベース７２を参照して提携企業ＩＤを取得し、提携企業ＩＤに基づいて提携企業データベース７３を参照し、優待実施企業と提携する提携企業名および優待商品のリストを含む情報閲覧ページ用データを取得し（図４参照）、取得した情報閲覧ページ用のデータを会員端末３０に送信し、会員端末３０は情報閲覧ページＰ５を表示する。
情報閲覧ページＰ５は、図４，図６に示すように、会員向けサイトのメインページＰ３と同様に、左欄に会員名、ユーザ設定，ログアウト，お問い合わせボタン１０３ｄの項目が表示されると共に、購入済みサービス１０６ａの項目が追加され、右上欄に選択した優待実施企業名１０６ｂ，持ち株数およびポイント数が表示され、右下欄に優待セール一覧
１０６ｃが表示される。優待セール一覧１０６ｃには、提供する提携企業名，優待商品および割引率等が表示される。
【００４１】
（会員による購入）
情報閲覧ページＰ５の優待セール一覧１０６ｃから個別の優待商品１０６ｄをクリックすると、会員端末３０から優待交換申込み要求（の信号）が優待サーバ２０に送信され、この要求に基づいて優待サーバ２０は優待交換申込み画面のデータを生成して会員端末３０に送信し、会員端末３０はこのデータを基づいて優待交換申込みページＰ６を表示する（図６参照）。この優待交換申込みページＰ６は、提携企業名１０７ａ，優待商品１０７ｂ，優待内容１０７ｃ，購入ボタン１０７ｄおよびキャンセルボタン１０７ｅが表示されている。
【００４２】
購入ボタン１０７ｄをクリックすると、会員端末３０はセール商品のデータを会員ＩＤと共に優待サーバ２０に送信し、優待サーバ２０は購入データを会員データベース６０に記憶させて会員データベース６０の内容を更新する。一方、優待サーバ２０は優待実施企業端末４０および提携企業端末５０に対して購入情報を送信する。これにより、優待実施企業は、個々の株主の利用状況を把握することができる。また、提携企業端末５０に送信された情報によって、提携企業は注文を受け付け、株主に対して購入商品を送付する。
【００４３】
（購入済み商品の表示）
情報閲覧ページＰ５の購入済みサービス１０６ａをクリックすると、図６に示すように、購入済み商品のデータが表示される。すなわち、購入済みサービス１０６ａをクリックすると、会員端末３０から購入履歴の閲覧要求（の信号）が優待サーバ２０に送信される。優待サーバ２０は会員情報データベース６０を参照して購入履歴を取得し、取得した購入済み商品のデータを会員端末３０に送信し、会員端末３０は情報閲覧ページＰ５の右下欄の優待セール一覧１０６ｃに代えて購入済み商品のデータ１０６ｅを表示する。この購入済み商品のデータ１０６ｅは、たとえば、提携会社名，商品名，購入受付の日付、処理状況等のデータが表示される。
【００４４】
（情報閲覧ページのカスタマイズ）
各優待実施企業毎の情報閲覧ページＰ５のレイアウト等のデザインは、各優待実施企業毎にカスタマイズ可能となっている。図８は、画面デザインをカスタマイズした例である。この情報閲覧ページＰ５のデザイン例は、優待実施企業名１０６ｂが入った「株主様特別優待ｅ−Ｓｈｏｐ」の表題欄１０８ａ、会員名（株主ＩＤ）１０３ａ，保有株式数，プロフィールの変更ボタン１０３ｂおよびお問い合わせボタン１０３ｄを表示した会員情報欄１０８ｂ、優待実施企業から株主へのお知らせ欄１０８ｃ、優待セール情報の表示をカテゴリー一覧として整理する優待セールカテゴリー一覧１０８ｄおよび利用履歴の確認ボタン１０６ａとが表示されている。お知らせ欄１０８ｃには、各企業から株主へのメッセージが表示される。アンケートを実施することで、双方向のコミュニケーションを図ることもできる。
【００４５】
＜会員端末に対する処理フロー＞
図９に、会員端末３０からのアクセスに対する優待サーバ２０の処理フローを示す。この処理は、会員端末３０が、会員から優待サーバ２０のＵＲＬを入力されることで開始する。すると、会員端末３０は、優待サーバ２０にアクセスする（ステップＳ１）。優待サーバ２０はログイン欄を含むトップページ用のデータ（ＨＴＭＬファイル等）を会員端末３０に送信する（ステップＳ１１）。会員端末３０は、優待サイトのトップページＰ１を表示する（ステップＳ２）。
【００４６】
会員がログイン入力欄に会員ＩＤおよびパスワードを入力すると、会員端末３０は、入
力された情報を優待サーバ２０に送信する。すると、優待サーバ２０は、会員ＩＤおよびパスワードにより会員を認証する処理を行う。認証が成功すると、優待サーバ２０は、優待実施企業リストを含むその会員の個人ページデータを生成し、会員端末３０に送信する（ステップＳ１２）。
これにより、会員端末３０は、メインページＰ３を表示するので、会員が優待実施企業名１０３ｅから特定の優待実施企業名をクリックすると、会員端末３０は、優待情報閲覧要求（の信号）を優待サーバ２０に送信する（ステップ３）。すると、優待サーバ２０は優待実施企業データベース７２を参照して提携企業ＩＤを取得し、提携企業ＩＤに基づいて提携企業データベース７３を参照し、優待実施企業と提携する提携企業名および優待商品のリストを含む情報閲覧ページ用データを取得し（図４参照）、取得した情報閲覧ページ用のデータを会員端末３０に送信する（ステップＳ１３）。その結果、会員端末３０は情報閲覧ページＰ５を表示する（ステップＳ４）。
【００４７】
会員が、情報閲覧ページＰ５の優待セール一覧１０６ｃから個別の優待商品をクリックすると、会員端末３０は、優待交換申込み要求（の信号）を優待サーバ２０に送信する（ステップＳ４）。すると、優待サーバ２０は優待交換申込み画面Ｐ６のデータを生成して会員端末３０に送信し（ステップＳ１４）、会員端末３０はこのデータを基づいて優待交換申込みページＰ６を表示する（ステップＳ５）。
【００４８】
会員が優待交換申込みページＰ６の購入ボタン０１７ｄをクリックすると、会員端末３０はセール商品の購入データを会員ＩＤと共に優待サーバ２０に送信し、優待サーバ２０は購入データを会員データベース６０に記憶させて会員データベース６０の内容を更新する（ステップＳ１５）。一方、優待サーバ２０は優待実施企業端末４０および提携企業端末５０に対して購入情報を送信する（ステップＳ１６、Ｓ１７）。これにより、優待実施企業は、個々の株主の利用状況を把握することができる。また、提携企業端末５０に送信された情報によって、提携企業は注文を受け付け、株主に対して購入商品を送付する。
【００４９】
＜登録の処理フロー＞
図１０（Ａ）は、新規に会員を登録する会員登録手順を示す図である。会員が、トップページＰ１のログイン欄１０１の新規発行ボタン１０１ｄをクリックすると、図１０（Ａ）に示すように、会員端末３０から優待サーバ２０に会員登録要求が送信され（ステップＳ２１）、優待サーバ２０はアカウント発行画面を含む会員登録ページのデータを作成して会員端末３０に送信し（ステップＳ３１）、会員端末３０は会員登録ページＰ２（図４参照）を表示する（ステップＳ２２）。
【００５０】
会員は、会員登録ページＰ２のアカウント発行画面１０２のＩＤ入力欄１０２ａに優待実施企業から提供された株主ＩＤを入力する。さらに、会員は、パスワードや電子メールアドレス等、所定欄に必要事項を入力し、登録ボタン１０２ｄをクリックすると、会員端末３０は、優待サーバ２０に新規登録要求（の信号）を送信する。
【００５１】
すると、優待サーバ２０は新規登録要求に対応して、株主データベース７１に格納されている株主ＩＤと照合し、合致していれば会員ＩＤを含む新規アカウントを発行し、会員情報データベース６０を更新する。その際に会員ＩＤと株主ＩＤを関連付けて格納する（ステップＳ３２）。登録した結果は、電子メール、あるいはセキュリティを考慮して郵送によって会員に通知する。
【００５２】
図１０（Ｂ）は株主ＩＤの追加登録手順を示す図である。会員がメインページＰ２の追加登録ボタン１０３ｆをクリックすると、図１０（Ｂ）に示すように、会員端末３０から優待サーバ２０に対して追加登録要求（の信号）が送信される（ステップＳ４１）。この追加登録要求に応じて株主優待サーバ２０は、ＩＤ追加登録ページ作成用のデータ（ＨＴ
ＭＬ文書）を会員端末３０に送信し（ステップＳ５１）、会員端末３０においてＩＤ追加登録ページＰ４が表示される。ＩＤ追加登録ページＰ４には、追加される株主ＩＤとパスワードの入力欄１０５ａ，１０５ｂおよび登録ボタン１０５ｃが設けられているので、会員が株主ＩＤとパスワードを入力して登録ボタン１０５ｃをクリックすると、会員端末３０は、追加株主ＩＤを優待サーバ２０に送信する（ステップＳ４２）。
【００５３】
優待サーバ２０は、送信される株主ＩＤについて株主データベース７１に記憶されている株主ＩＤと照合し、合致していれば会員情報データベース６０に株主ＩＤを会員ＩＤと関連付けて追加登録する。また、株主ＩＤと関連付けられた優待実施企業ＩＤを取得し、取得した優待実施企業ＩＤから優待実施企業データベース７２を参照して優待実施企業名のデータを取得し、取得した追加優待実施企業名のデータを会員端末３０に送信する（ステップＳ５２）。すると、会員端末３０はメイン画面に追加された優待実施企業名を追加して表示する（ステップＳ４３）。
【００５４】
＜優待実施企業端末に提供する機能概要＞
次に、図１１乃至図１３を参照して、本発明の株主優待サービスシステムの優待実施企業向けサイトの構成について説明する。この優待実施企業向けサイトは、１．自社掲載情報メンテナンス機能、２．提携情報管理機能、３．購入情報の閲覧機能、４．情報配信設定機能、５．ＩＤ発行機能を有している。
自社掲載情報メンテナンス機能とは、上記した会員向けサイトの情報閲覧ページに掲載される自社の情報をメンテナンスする機能である。提携情報管理機能とは、どの企業の優待を会員株主に提供するかを設定する提携優待の登録機能と、保有株数に応じた優待条件などを設定する優待定義設定機能である。購入情報の閲覧機能とは、商品購入申し込み情報を取得する機能で、どの優待サービスにどの会員が申し込んだのかを取得する機能である。情報配信設定機能とは、優待実施企業が会員に電子メール配信、アンケート配信を設定する機能である。ＩＤ発行機能とは、株主情報に対応する優待ＩＤ（株主ＩＤ）を発行する機能である。
【００５５】
優待実施企業端末４０から優待サーバ２０にログインすると、優待サーバ２０によってメインメニューページ用のデータが作成されると共に優待実施企業端末４０に送信され、優待実施企業端末４０にメインメニューページＰ１０が表示される。メインメニューページＰ１０には、上記した５つの機能に対応して、サイトメンテナンス２０１，提携情報管理２０２，購入情報ＤＬ２０３，情報配信設定２０４，ＩＤ発行２０５の５つのメニュー項目が表示されている。
【００５６】
サイトメンテナンス２０１をクリックすると、優待サーバ２０にサイトメンテナンス機能を実行する要求（の信号）が送信される。この要求に基づいて優待サーバ２０がサイトメンテナンスページ用のデータを作成して優待実施企業端末４０に送信し、優待実施企業端末４０にサイトメンテナンスページＰ１１が表示される（図１１参照）。
サイトメンテナンスページＰ１１には、有効期限２０１ａ，タイトル２０１ｂ，ロゴ２０１ｃ等の修正可能な項目と、登録ボタン２０１ｄ，キャンセルボタン２０１ｅが表示されている。静的に作成する画面と、企業自身が内容を変更できる画面の２種類が用意される。たとえば、タイトル２０１ｂはプレビュー可能とする。
【００５７】
提携情報管理２０２をクリックすると、優待サーバ２０に提携情報管理機能を実行する要求（の信号）が送信され、この要求に基づいて優待サーバ２０は提携情報管理ページ用のデータを作成して優待実施企業端末４０に送信し、優待実施企業端末４０に提携情報管理ページＰ１２が表示される（図１１参照）。
この提携情報管理ページＰ１２には、予め審査を通った提携企業情報２０２ａと、追加ボタン２０２ｂが表示される。提携企業情報２０２ａは提携企業データベース７３から引
き当てて表示される。提携企業情報２０２ａから、提携企業として掲載する企業を選択し追加ボタン２０２ｂをクリックすると、追加要求（の信号）が優待サーバ２０に送信される。優待サーバ２０は優待定義ページのデータを作成して優待実施企業端末４０に送信し、優待実施企業端末４０に優待定義ページＰ１３が表示される。
【００５８】
優待定義ページＰ１３には、株数入力欄２０２ｃ，優待内容入力欄２０２ｄ，追加ボタン２０２ｅおよび登録済み提携優待欄２０２ｆが表示されており、株数欄２０２ｃと優待内容入力欄２０２ｄに、何株に対してどういう優待を行うかを定義し、追加ボタン２０２ｅをクリックすることにより優待定義を更新する。
登録済み提携優待欄２０２ｆには、たとえば、１００株に対して、○社の商品ｘｘについては、１５％ｏｆｆというような定義がなされている。この優待定義ページＰ１３では、保有株に応じた優待特典の定義を行う（割引率など）もので、定義自体は事前の協議のうえ決定される。特典としては、購入金額の割引き（商品販売など）、追加サービス（旅行など）、入会金額無料（スポーツクラブなど）、年会費割引（保険など）等、種々の特典が考えられる。
【００５９】
購入情報ＤＬ２０３をクリックすると、図１２に示すように、優待サーバ２０に購入情報の閲覧機能を実行する要求（の信号）が送信され、この要求に基づいて優待サーバ２０は購入情報を購入情報ＤＬ（ダウンロード）ページのデータを作成して優待実施企業端末４０に送信し、優待実施企業端末４０に購入情報ＤＬページＰ１４が表示される。
【００６０】
この購入情報ＤＬページＰ１４には、購入申込み一覧２０３ａと、ダウンロードの実行ボタン２０３ｂが表示されている。購入申込み一覧２０３ａから対象とするデータをチェックし、実行ボタン２０３ｂをクリックすると、ダウンロード要求（の信号）が優待サーバ２０に送信され、優待サーバ２０によって会員情報データベース６０に格納されている優待購入情報からダウンロードデータが生成され、優待実施企業端末４０に送信される。購入申込みの情報は、各優待実施企業，提携企業ごとに振り分けて格納されている。
優待申込み情報ダウンロードの機能を、提携企業に公開することも可能である。この場合、自社が提供する優待に申し込んだ会員の情報のみダウンロードするように、システム側で絞り込むようにしてもよい。ダウンロード管理画面は、たとえばＳＳＬ通信等で保護することでセキュリティを保つことが望ましい。
【００６１】
メインメニューページＰ１１の情報配信設定２０４をクリックすると、図１２に示すように、優待サーバ２０に情報配信設定機能を実行する要求（の信号）が送信され、この要求に基づいて優待サーバ２０は情報配信設定ページのデータを作成して優待実施企業端末４０に送信し、優待実施企業端末４０に情報配信設定ページＰ１５が表示される。
この情報配信設定Ｐ１５には、たとえば、メール配信設定２０４ａ，アンケート設定２０４ｂの項目が表示されている。メール配信設定２０４ａは、たとえばOne to One
メール配信システムに連携し、データベース連動でメール配信条件の設定を行う。クリック履歴取得による配信効果測定を行うようにしてもよい。
アンケート設定２０４ｂは、たとえばアンケートオーサリングツールの提供とリアルタイムレポートが表示される。
【００６２】
メインメニューページＰ１１のＩＤ発行機能２０５をクリックすると、図１３に示すように、優待サーバ２０にＩＤ発行機能を実行する要求（の信号）が送信され、この要求に基づいて優待サーバ２０はＩＤ発行ページのデータを作成して優待実施企業端末４０に送信し、優待実施企業端末４０にＩＤ発行ページＰ１６が表示される。
ＩＤ発行ページＰ１６には、株主情報ファイル入力欄２０５ａ，登録ボタン２０５ｂ，ＩＤ発行ボタン２０５ｃ，ＩＤダウロードボタン２０５ｄが表示されている。株主の住所、氏名、持ち株数が格納されている株主情報ファイル２０５ｅのファイル名を株主ファイ
ル入力欄２０５ａに入力し、登録ボタン２０５ｂをクリックすると、株主の名前，持ち株数等が株主データベース７１に登録される。
ＩＤ発行ボタン２０５ｃをクリックすると、優待サーバ２０によって優待ＩＤ並びにパスワードが発行され株主データベース７１に格納された株主情報に優待ＩＤ並びにパスワードが付加される。
ＩＤダウンロードボタン２０５ｄをクリックすると、優待サーバ２０は株主データベース７１から優待ＩＤとパスワードが付加された株主情報を取得して優待実施企業端末４０にダウンロードする。
なお、優待ＩＤ発行時、優待実施企業が株主情報ファイルを読み込ませるだけでなく、その優待ＩＤの有効期限を登録するように、ＩＤ発行ページは構成されている。
さらに、この優待ＩＤとパスワードは、優待実施企業から株主に通知される。株主は、優待企業から通知された優待ＩＤとパスワードにより一旦優待サーバ２０にログインした後、会員登録を実施する。これにより、上記で説明した手順と処理にしたがい会員ＩＤが発行される。
【００６３】
＜提携企業向けサイトの機能概要＞
次に、提携企業向けサイトの機能について、図１４を参照して説明する。提携企業サイトは、基本的には掲載商品のメンテナンスを行うもので、商品基本情報登録・修正機能、支払い方法の設定変更機能、在庫情報管理機能を備えている。
たとえば、商品基本情報の設定ページＰ２１と、支払い方法の設定ページＰ２２と、在庫情報の管理ページＰ２３を設け、各ページから優待サーバ２０にアクセスして提携企業データベース７３に、提携企業から提供される商品情報・在庫情報を登録し、会員向けサイトの画面に掲載情報として反映させる。
【００６４】
＜一般投資家向けサイトの機能概要＞
図１５は一般投資家向けサイトのページ構成例を示している。一般投資家向けサイトは一般投資家向けの公開するページで、たとえば、図４の優待サイトのトップページＰ１から閲覧可能となっている。
この一般投資家向けのサイトは、優待カタログページＰ３１、優待実施企業一覧ページＰ３２、提携企業一覧ペーＰ３３、優待サービス詳細ページＰ３４、提携サービス詳細ページＰ３５を設け、互いにリンクする構成として優待情報の検索機能を有することが好ましい。優待サーバ２０は、一般投資家の端末からの閲覧要求（の信号）に対応して、優待サーバ２０が優待実施企業データベース７２および提携企業データベース７３から検索条件に合致したデータを取得し、一般投資家の端末に送信するようになっている。
【図面の簡単な説明】
【００６５】
【図１】図１は本発明の株主優待サービスシステムを構成するネットワークを示す概略図である。
【図２】図２は図２の優待サーバのシステム構成例を示す図である。
【図３】図３は本発明の株主優待サービスシステムの概略図である。
【図４】図４は本発明の株主優待サービスシステムの会員向けサイトの閲覧ページと各データベースとの関係を中心にして示した概略図である。
【図５】図５は各企業から発行される株主ＩＤの登録の流れを示す説明図である。
【図６】図６は本発明の株主優待サービスシステムの会員向けサイトのログインから優待情報閲覧，商品購入に至るまでのページの説明図である。
【図７】図７は会員向けサイトの会員登録および株主ＩＤの追加登録をする際のページの説明図である。
【図８】図８は会員向けサイトの優待情報閲覧画面の他のレイアウト例を示す図である。
【図９】図９は図６のページの切り替えを実行する手順を示す図である。
【図１０】図１０（Ａ）は図７の会員登録の手順を示す図、同図（Ｂ）は株主ＩＤの追加登録手順を示す図である。
【図１１】図１１は本発明の株主優待サービスシステムの優待実施企業向けサイトのページの説明図である。
【図１２】図１２は本発明の株主優待サービスシステムの優待実施企業向けサイトの他のページの説明図である。
【図１３】図１３は本発明の株主優待サービスシステムの優待実施企業向けサイトのさらに他のページの説明図である。
【図１４】図１４は本発明の株主情報サービスシステムの提携企業向けサイトのページの説明図である。
【図１５】図１５は本発明の株主優待サービスシステムの一般投資家向けサイトの機能の説明図である。
【符号の説明】
【００６６】
１０  ネットワーク、２０  優待サーバ、３０  会員端末、４０  優待実施企業端末
５０  提携企業端末
６０  会員情報データベース
７０  優待情報データベース
７１  株主データベース
７２  優待実施企業データベース
７３  提携企業データベース
Ｐ１  トップページ
１０１  ログイン欄、１０１ａ  ユーザ名入力欄、１０１ｂ  パスワード入力欄
１０１ｃ  ログインボタン、１０１ｄ  新規発行ボタン、Ｐ２  会員登録ページ
１０２  アカウント発行画面、１０２ａ  ＩＤ入力欄、１０２ｂ  パスワード入力欄
１０２ｃ  電子メールアドレス入力欄、１０２ｄ  登録ボタン
Ｐ３  会員向けメインページ
１０３ａ  会員名、１０３ｂ  ユーザ設定、１０３ｃ  ログアウト、
１０３ｄ  問い合わせ、１０３ｅ  優待実施企業名、１０３ｆ  追加登録ボタン
１０４  アカウント修正画面、１０４ａ  会員の名前欄、１０４ｂ  住所欄
１０４ｃ  電話番号欄、１０４ｄ  E-mail欄、１０４ｅ  登録ボタン
１０３ｆ  追加登録ボタン
Ｐ４  追加登録ページＰ４
１０５ａ  株主ＩＤ入力欄、１０５ｂ  パスワード入力欄、１０５ｃ  登録ボタン
Ｐ５  情報閲覧ページ
１０６ａ  購入済みサービス、１０６ｂ  優待実施企業名、１０６ｃ  優待セール一覧
１０６ｄ  優待商品
Ｐ６  優待交換申込みページ
１０７ａ  提携企業名、１０７ｂ  優待商品、１０７ｃ  優待内容、１０７ｄ  購入ボタン、１０７ｅ  キャンセルボタン
Ｐ１１  メインメニューページ
２０１  サイトメンテナンス、２０２  提携情報管理、２０３  購入情報ＤＬ、２０４
情報配信設定、２０５  ＩＤ発行
Ｐ１２  サイトメンテナンスページ
２０１ａ  有効期限、２０１ｂ  タイトル、２０１ｃ  ロゴ、２０１ｄ  登録ボタン、２０１ｅ  キャンセルボタン
２０２ａ  提携企業情報、２０２ｂ  追加ボタン
Ｐ１３  優待定義ページ
２０２ｃ  株数入力欄、２０２ｄ  優待内容入力欄、２０２ｅ  追加ボタン、２０２ｆ
登録済み提携優待欄
Ｐ１４  購入情報ＤＬページ
２０３ａ  購入申込み一覧、２０３ｂ  実行ボタン
Ｐ１５  情報配信設定ページ
２０４ａ  メール配信設定、２０４ｂ  アンケート設定
Ｐ１６  ＩＤ発行ページ
２０５ａ  株主情報ファイル入力欄、２０５ｂ  登録ボタン、２０５ｃ  ＩＤ発行ボタン、２０５ｄ  ＩＤダウロードボタン、２０５ｅ  株主情報ファイル
Ｐ２１  商品基本情報の設定ページ、
Ｐ２２  支払い方法の設定ページ
Ｐ２３  在庫情報の管理ページ
Ｐ３１  優待カタログページ、
Ｐ３２  優待実施企業一覧ページ
Ｐ３３  提携企業一覧ページ
Ｐ３４  優待サービス詳細ページ
Ｐ３５  提携サービス詳細ページ
【図１】
2005250715.tif 000003
【図２】
2005250715.tif 000004
【図３】
2005250715.tif 000005
【図４】
2005250715.tif 000006
【図５】
2005250715.tif 000007
【図６】
2005250715.tif 000008
【図７】
2005250715.tif 000009
【図８】
2005250715.tif 000010
【図９】
2005250715.tif 000011
【図１０】
2005250715.tif 000012
【図１１】
2005250715.tif 000013
【図１２】
2005250715.tif 000014
【図１３】
2005250715.tif 000015
【図１４】
2005250715.tif 000016
【図１５】
2005250715.tif 000017